(57)【要約】【課題】尿吸収体と着用者の尿道口とを常に適宜な位置関係にし、排泄された尿を尿吸収体によって確実に吸収するようにしたパンツを提供する。【解決手段】着用者の股間部相当位置の前方から後方に向けて配置される外クロッチ布Ｃと内クロッチ布Ｃ’の間に尿吸収体Ｎを収容自在としたパンツＰであって、尿吸収体Ｎに漏斗状部Ｎ１ａを形成すると共に、外クロッチ布Ｃと内クロッチ布Ｃ’をそれぞれその端部が円弧状を呈する外前立てＡ、内前立てＡ’と外股マチ布Ｂ、内股マチ布Ｂ’から構成し、前立ての端部と股マチ布の端部を縫合してなる縫合部Ｄ１，Ｄ１’の付近に尿吸収体Ｎの漏斗状部Ｎ１ａを位置させる。【選択図】図２６
2008223150.tif 000002
【特許請求の範囲】
【請求項１】
着用者の股間部相当位置の前方から後方に向けて配置される外クロッチ布と内クロッチ布の間に尿吸収体を収容自在としたパンツであって、前記尿吸収体に漏斗状部を形成すると共に、前記外クロッチ布と内クロッチ布をそれぞれその端部が円弧状を呈する前立てと股マチ布から構成し、前記前立ての端部と股マチ布の端部を縫合してなる縫合部の付近に前記尿吸収体の漏斗状部を位置させたことを特徴とするパンツ。
【請求項２】
前記尿吸収体に前記漏斗状部に連続する位置決め部を形成すると共に、前記外クロッチ布と内クロッチ布を前記股間部相当位置の後方で縫合して第２の縫合部を形成し、前記尿吸収体の位置決め部を前記第２の縫合部の付近に位置させたことを特徴とする請求項１記載のパンツ。
【請求項３】
前記尿吸収体の位置決め部に当て布を縫合し、その内部空間に前記着用者の指を挿入自在としたことを特徴とする請求項２記載のパンツ。
【請求項４】
前記尿吸収体の位置決め部を、前記第２の縫合部の付近に止め具を介して取り付け自在としたことを特徴とする請求項２または３記載のパンツ。
【発明の詳細な説明】
【技術分野】
【０００１】
この発明はパンツに関し、より具体的には尿漏れ対策を施したパンツに関する。
【背景技術】
【０００２】
尿漏れとは、失禁あるいは頻尿により排尿準備行動が間に合わず排尿に至る症状であり、従来よりその症状に適応した大人用の紙おむつなどが開発されている。上記した症状の性格から、尿漏れは介護される人あるいは高年齢者の症状というイメージが定着しているが、近時それとは別に若年層あるいは中年齢層においても、トイレに再々行けない状況下で尿意の我慢、冷房等での膀胱炎症状など各々の生活環境に起因した少量の尿漏れを経験する者も多く、その対策が必要とされている。
【０００３】
また、中年齢層以降の成人にあっては、排尿後の残尿が少量漏れ出る症状を持つことも多く、それによってパンツやズボンが汚れるという不都合があった。これらの症状がひどい場合は前記した大人用の紙おむつを着用することも考えられるが、紙おむつは尿漏れ対策専用として使用用途が特定されると共に、見た目のシルエットも悪くなるという不具合がある。
【０００４】
そこで、従来より、外観は通常のパンツでありながら、失禁などによる尿を吸収可能な尿吸収体を収容自在としたパンツが種々提案されており、その一例として特許文献１記載の技術を挙げることができる。
【特許文献１】特開２００１−２５４８３号公報（段落０００８，００１０、図１など）
【０００５】
特許文献１記載の技術においては、パンツを外装体と内装体の二重に構成すると共に、内装体の着用者の股間部相当位置を、着用者の肌に接する内側に配置される保水部とその外側に配置される防水皿からなる二重構造とし、保水部と防水皿の間に尿吸収用紙パック（尿吸収体）を収容自在とするように構成される。
【発明の開示】
【発明が解決しようとする課題】
【０００６】
しかしながら、上記特許文献１にあっては、パンツに尿吸収体を収容自在とすることを開示するに止まり、尿吸収体と着用者の尿道口との位置関係について何等考慮されていなかった。即ち、尿吸収体や尿道口は着用者の歩く、座るなどの動作に伴って移動するため、特許文献１記載技術のように構成すると、尿吸収体と尿道口との間に位置ズレが生じ、それらの位置関係によっては尿を確実に吸収できないおそれがあった。
【０００７】
従って、この発明の目的は上記した課題を解決し、尿吸収体と着用者の尿道口とを常に適宜な位置関係にし、排泄された尿を尿吸収体によって確実に吸収するようにしたパンツを提供することにある。
【課題を解決するための手段】
【０００８】
上記の目的を解決するために、請求項１にあっては、着用者の股間部相当位置の前方から後方に向けて配置される外クロッチ布と内クロッチ布の間に尿吸収体を収容自在としたパンツであって、前記尿吸収体に漏斗状部を形成すると共に、前記外クロッチ布と内クロッチ布をそれぞれその端部が円弧状を呈する前立てと股マチ布から構成し、前記前立ての端部と股マチ布の端部を縫合してなる縫合部の付近に前記尿吸収体の漏斗状部を位置させるように構成した。
【０００９】
請求項２にあっては、前記尿吸収体に前記漏斗状部に連続する位置決め部を形成すると共に、前記外クロッチ布と内クロッチ布を前記股間部相当位置の後方で縫合して第２の縫合部を形成し、前記尿吸収体の位置決め部を前記第２の縫合部の付近に位置させるように構成した。
【００１０】
請求項３にあっては、前記尿吸収体の位置決め部に当て布を縫合し、その内部空間に前記着用者の指を挿入自在とするように構成した。
【００１１】
請求項４にあっては、前記尿吸収体の位置決め部を、前記第２の縫合部の付近に止め具を介して取り付け自在とするように構成した。
【発明の効果】
【００１２】
請求項１に係るパンツにあっては、着用者の股間部相当位置の前方から後方に向けて配置される外クロッチ布と内クロッチ布をそれぞれその端部が円弧状を呈する前立てと股マチ布から構成し、前立ての端部と股マチ布の端部を縫合して縫合部を形成するように構成したので、前記縫合部付近を凸形状（錐体形状）に形成することが可能となり、その凸形状の内側に形成されたスペースに着用者の尿道口（具体的には、男性器の尿道口）を位置させることで、尿道口は縫合部付近に確実に位置させられる。また、尿吸収体に漏斗状部を形成し、その漏斗状部を前記縫合部付近に位置させるように構成したので、縫合部付近に位置させられた尿道口は漏斗状部近傍にも位置させられることとなる。即ち、着用者の尿道口は常に漏斗状部近傍に位置させられる、換言すれば、尿吸収体と着用者の尿道口は常に適宜な位置関係となるため、尿吸収体（漏斗状部）は排泄された尿を確実に受け止めて吸収することができる。
【００１３】
また、尿吸収体に漏斗状部を形成するように構成したので、漏斗状部の頂点部近傍に着用者の尿道口を位置させることも可能となる。それにより、排泄された尿は漏斗状部の頂点部分を中心として放射状に拡散しながら均一に吸収される、即ち、尿吸収体の漏斗状部において全体的に吸収されることとなるため、尿吸収体は尿を効率よく吸収することができる。
【００１４】
また、前立てと股マチ布の縫合部付近を凸形状に形成することが可能であるため、着用者の尿道口を凸形状の内側に形成されるスペースに容易に位置させることができ、さらに着用感も向上させることができる。
【００１５】
また、通常のパンツに外クロッチ布と内クロッチ布を取り付け、その間に尿吸収体を収容するように構成したので、尿吸収体を取り付けない（収容しない）ときは通常のパンツとして使用でき、見た目のシルエットに優れる。
【００１６】
尚、この明細書において、「パンツ」は下着（インナウエア）を意味するものとして用いる。
【００１７】
また、この明細書において、「男性器」は男性の外部生殖器を指し、基本的には陰茎の意味で使用するが、陰茎と陰嚢の両者を含む意味で使用する場合もある。
【００１８】
請求項２に係るパンツにあっては、尿吸収体に漏斗状部に連続する位置決め部を形成すると共に、外クロッチ布と内クロッチ布を股間部相当位置の後方で縫合して第２の縫合部を形成し、尿吸収体の位置決め部を第２の縫合部の付近に位置させるように構成、即ち、股間部相当位置の後方付近に形成された第２の縫合部付近が、尿吸収体が収容されるべき位置の基点となるように構成したので、上記した効果に加え、パンツを着用したまま尿吸収体を取り替える際、新しい尿吸収体を適切な位置に素早く収容、具体的には、股間部の尿漏れ範囲に素早く位置決めして収容することができる。また、第２の縫合部は縫製作業の必要工程において形成され、縫い目が存在するだけであるため、着用感が低下することがない。
【００１９】
請求項３に係るパンツにあっては、尿吸収体の位置決め部に当て布を縫合し、その内部空間に着用者の指を挿入自在とするように構成したので、請求項２で述べた効果に加え、着用者は、位置決め部と当て布によって形成された内部空間に指を挿入しつつ尿吸収体を収容でき、よって尿吸収体の装着を容易にすることができる。
【００２０】
請求項４に係るパンツにあっては、尿吸収体の位置決め部を、第２の縫合部の付近に止め具を介して取り付け自在とするように構成したので、請求項２，３で述べた効果に加え、尿吸収体が外クロッチ布と内クロッチ布に対して位置ズレするのを効果的に防止でき、尿吸収体は排泄された尿をより一層確実に吸収することができる。
【発明を実施するための最良の形態】
【００２１】
以下、添付図面に即してこの発明に係るパンツの最良の実施の形態について説明する。
【実施例１】
【００２２】
図１はこの発明の第１実施例に係るパンツの正面図であり、図２は図１に示すパンツの背面図である。
【００２３】
図１および２において、符号Ｐはパンツを示す。パンツＰは、左右身頃Ｌ，Ｒ、左右身頃Ｌ，Ｒの前方の間に配置されて前開きＭを構成する左前身頃ＦＬおよび右前身頃ＦＲの各身頃と、着用者の股間部相当位置の前方から後方に向けて配置されると共に、尿吸収体を収容するクロッチポケット（サポーターポケット。図１，２で共に見えず。後述）ＣＰと、履き口（ウエストライン）Ｗに縫着されたウエストゴムＷＧとからなる。図示の如く、左身頃Ｌと左前身頃ＦＬによって左裾口ＨＬが、右身頃Ｒと右前身頃ＦＲによって右裾口ＨＲが形成される。
【００２４】
尚、この明細書において、左右あるいは前後などの記載は、着用した状態でその者にとっての左右方向あるいは前後方向を意味する。また、「前開き」とは、パンツの前面に窓状に設けられる男性器を取り出すための開口部（前開き口）を備える部位を指す。従って、パンツＰは主として男性が着用するトランクス型のものである。
【００２５】
左右身頃Ｌ，Ｒおよび左右前身頃ＦＬ，ＦＲは伸縮可能な素材、具体的には、ポリウレタン糸を含むニットから製作される。これにより、着用されたパンツＰにおいては、尿吸収体を収容して膨らみ（ボリューム）が発生する際、体側は圧迫されず、膨らみは柔軟に外側へ発生される。
【００２６】
図３は、図１に示す左前身頃ＦＬおよび右前身頃ＦＲの裁断形状（生地片）を、表側から見た平面図である。尚、この明細書で「表」とは、着用されたパンツにおいて露出される部分、あるいは人体に接触しない部分を意味し、「裏」とは、被覆される部分、あるいは人体に接触する部分を意味する。
【００２７】
左前身頃ＦＬと右前身頃ＦＲは、パンツＰの前開きＭを構成する一対の身頃であって左右略対称形状に裁断されてなる。左前身頃ＦＬは、見返しＦＬ１を備えると共に、右前身頃ＦＲは、持ち出しＦＲ１を備える。
【００２８】
左前身頃ＦＬについて説明すると、左前身頃ＦＬは、見返しＦＬ１の上端線７−８と連続する、後に履き口Ｗの一部となる直線辺たる上端線８−１、後に前身頃の左側端縁線となる線１−２、後に左裾口ＨＬの一部となる直線辺たる下端線２−３、後に後股ぐりとなる線３−４、後に右前身頃ＦＲの対応する端縁と縫合され前股ぐりとなる線４−５、図３に一点鎖線で示す線分５−８（前開きＭの中心線）、および見返しＦＬ１からなる。
【００２９】
見返しＦＬ１は、前記した線分５−８および線５−６−７−８で画される略矩形状の部分で、この見返しＦＬ１は後に線分５−８を軸に内部方向に折り返されて前開きＭの外側部分となる。
【００３０】
次いで、右前身頃ＦＲについて説明する。尚、上述した左前身頃ＦＬの説明が大略妥当するので、同一符号にダッシュ（’）を付して説明を省略すると共に、左前身頃ＦＬとの相違点を中心に説明する。
【００３１】
右前身頃ＦＲにおいて、持ち出しＦＲ１は線分５’−６’−７’−８’−５’で画される略矩形状の部分であり、後に前開きＭの内側部分となる。即ち、持ち出しＦＲ１は、見返しＦＬ１が内部方向に折り返された左前身頃ＦＬが、線分５−８と線分５’−８’を合わせるようにして重ねられるため、前開きＭの内側部分となる。
【００３２】
図４は、図１に示す左身頃Ｌおよび右身頃Ｒの裁断形状（生地片）を、表側から見た平面図である。
【００３３】
図４に示す如く、左右身頃Ｌ，Ｒは１枚の連続した生地から製作され、後に履き口Ｗの一部となる直線辺たる上端線１７−１８−１９−２０−９、後に前身頃の右側端縁線となる直線辺たる線分９−１０、後に右裾口ＨＲの一部となる直線辺たる線分１０−１１−１２、後に左右前身頃ＦＬ，ＦＲの線３−４，３’−４’と縫合され後股ぐりとなる線１２−１３−１４、後に左裾口ＨＬの一部となる直線辺たる線分１４−１５−１６、後に前身頃の左側端縁線となる直線辺たる線分１６−１７からなる。図４において、一点鎖線で示す線分１１−２０はパンツＰ完成時の右脇線を、線分１５−１８は左脇線を表し、線分１３−１９は後ろ中心線を示す。
【００３４】
図５は、クロッチポケットＣＰを拡大して示す拡大平面図と拡大左側面図である。尚、図において、括弧で表す符号は図示上見えない箇所を示す。
【００３５】
クロッチポケットＣＰは、外クロッチ布Ｃと内クロッチ布Ｃ’からなる。尚、この明細書で「内」とは、前記した「裏」と同様、着用されたパンツにおいて被覆される部分、あるいは人体に接触する部分を意味する。また、「外」とは、「内」に対しての意味で使用するため、前記した「表」と同様、人体に接触しない部分を意味するが、必ずしも露出される部分を意味するものではない。
【００３６】
外クロッチ布Ｃと内クロッチ布Ｃ’は上記した伸縮可能な素材であって、吸水透過性も有する素材（例えば、特許第２９８７６０５号公報に記載されるセラミックス微粒子を含有する繊維（綿））から製作される。
【００３７】
図６は、図５に示す外クロッチ布Ｃと内クロッチ布Ｃ’の裁断形状（生地片）を、表側から見た平面図である。
【００３８】
図６に示す如く、外クロッチ布Ｃは外前立てＡと外股マチ布Ｂを備えると共に、内クロッチ布Ｃ’は内前立てＡ’と内股マチ布Ｂ’を備える。外前立てＡは、後に履き口Ｗの一部となる直線辺たる上端線２７−２８−２１、後にクロッチポケットＣＰの左側端縁線となる線２１−２２−２３、円弧状（凸弧状）を呈すると共に、後に外股マチ布Ｂの対応する端縁と縫合される下端線２３−２４−２５、後にクロッチポケットＣＰの右端縁部となる線２５−２６−２７からなる。
【００３９】
外股マチ布Ｂは、円弧状を呈すると共に、後に外前立てＡの下端線２３−２４−２５と縫合される上端線３３−３４−２９、後にクロッチポケットＣＰの左側端縁線となる線２９−３０、後に後股ぐりの一部となる下端線３０−３１−３２、後にクロッチポケットＣＰの右端縁部となる線３２−３３からなる。
【００４０】
内前立てＡ’は、後にクロッチポケットＣＰの入口ＣＰ１となる直線辺たる上端線２７’−２８’−２１’、後にクロッチポケットＣＰの左側端縁線となる線２１’−２２’−２３’、円弧状を呈すると共に、後に外股マチ布Ｂ’の対応する端縁と縫合される下端線２３’−２４’−２５’、後にクロッチポケットＣＰの右端縁部となる線２５’−２６’−２７’からなる。また、内前立てＡ’において、紙面縦方向の長さ（２４’−２８’）は、外クロッチ布Ｃのそれ（２４−２８）に比して所定値（例えば、約４［ｃｍ］）だけ短くなるように裁断される。
【００４１】
内股マチ布Ｂ’は、外股マチ布Ｂと略同一形状の生地片であるため、上記した外股マチ布Ｂの説明は内股マチ布Ｂ’にも妥当する。即ち、内股マチ布Ｂ’は、円弧状を呈すると共に、後に内前立てＡ’の下端線２３’−２４’−２５’と縫合される上端線３３’−３４’−２９’、後にクロッチポケットＣＰの左側端縁線となる線２９’−３０’、後に後股ぐりの一部となる下端線３０’−３１’−３２’、後にクロッチポケットＣＰの右端縁部となる線３２’−３３’からなる。上記した外前立てＡ、外股マチ布Ｂ、内前立てＡ’および内股マチ布Ｂ’はそれぞれ、一点鎖線で示す線が生地片の中心であり、中心線（実際に線があるわけではない）を基準に略左右相称形状である。
【００４２】
また、前記した外前立てＡの下端線２３−２４−２５、外股マチ布Ｂの上端線３３−３４−２９、内前立てＡ’の下端線２３’−２４’−２５’、および内股マチ布Ｂ’の上端線３３’−３４’−２９’の曲線は全て、曲率が略同等となるように設定される。
【００４３】
このように、外クロッチ布Ｃと内クロッチ布Ｃ’は、それぞれその端部（２３−２４−２５，２３’−２４’−２５’，３３−３４−２９，３３’−３４’−２９’）が円弧状を呈する前立て（外前立てＡ、内前立てＢ）と股マチ布（外股マチ布Ａ’、内股マチ布Ｂ’）から構成される。
【００４４】
図７は、外クロッチ布Ｃと内クロッチ布Ｃ’が重ねられる前の状態を右前方から見た斜視図である。また、図８は重ねられた外クロッチ布Ｃと内クロッチ布Ｃ’を左後方から見た斜視図であり、図９は図８に示す外クロッチ布Ｃと内クロッチ布Ｃ’を縫合した状態を表す、図８と同様な斜視図である。尚、図７において、外クロッチ布Ｃの端縁３０−３１−３２と内クロッチ布Ｃ’の端縁３０’−３１’−３２’が互いに後方部に湾曲して位置させられているが、これは人体シルエットに対比した構成を示すためである。
【００４５】
図７から図９、特に図７に良く示す如く、外クロッチ布Ｃは、外前立てＡと外股マチ布Ｂを縫合して形成、具体的には、外前立てＡの下端線２３−２４−２５と外股マチ布Ｂの上端線２９−３４−３３とを縫合して形成される。また、内クロッチ布Ｃ’も、外クロッチ布Ｃと同様に、内前立てＡ’と内股マチ布Ｂ’とを縫合して形成、具体的には、内前立てＡ’の下端線２３’−２４’−２５’と内股マチ布Ｂ’の上端線２９’−３４’−３３’とを縫合して形成される。
【００４６】
このようにして形成された外クロッチ布Ｃと内クロッチ布Ｃ’は、図８に示すように、外クロッチ布Ｃの下端線３０−３１−３２が内クロッチ布Ｃ’の下端線３０’−３１’−３２’に重なるように位置させられる。
【００４７】
次いで、図９に示す如く、外クロッチ布Ｃと内クロッチ布Ｃ’の両端縁が縫合（かがり縫い）される。具体的に説明すると、外クロッチ布Ｃの線２２−２３，２９−３０は内クロッチ布Ｃ’の線２２’−２３’，２９’−３０’に、外クロッチ布Ｃの線２６−２５，３３−３２は内クロッチ布Ｃ’の線２６’−２５’，３３’−３２’に縫着される。このとき、縫合部分にはポリウレタン平薄ゴムが同時に縫着される。
【００４８】
内クロッチ布Ｃ’の上端線２１’−２８’−２７’は内側に折り返され、図示の如く、クロッチポケットＣＰの入口ＣＰ１が形成される。このように、外クロッチ布Ｃと内クロッチ布Ｃ’の両端縁が縫合される一方、内クロッチ布Ｃ’の上端線２１’−２８’−２７’は外クロッチ布Ｃに縫着されずにクロッチポケットＣＰの入口ＣＰ１となるように構成したので、外クロッチ布Ｃと内クロッチ布Ｃ’の間の空間は入口ＣＰ１を介して外部空間と連通される。また、外クロッチ布Ｃと内クロッチ布Ｃ’の間には、尿吸収体が収容されるべき空間が形成されることとなる。尚、図９の状態においては、外クロッチ布Ｃの下端線３０−３１−３２と内クロッチ布Ｃ’の下端線３０’−３１’−３２’は未だ縫合されない。
【００４９】
図５に戻ってクロッチポケットＣＰの説明を続けると、外クロッチ布Ｃにあっては、外前立てＡの下端線（端部）２３−２４−２５と外股マチ布Ｂの上端線（端部）２９−３４−３３とが縫合されるため、その縫合部Ｄ１付近は凸形状（錐体形状）、具体的には略円錐体形状Ｙに形成される。より具体的には、図５−２に示す円錐体形状Ｙの底面の直径Ｗは約９［ｃｍ］となると共に、円錐体形状の高さＨは約４［ｃｍ］となるように形成される。尚、ここで「約」と記載したのは、素材の伸縮性の違いなどによって若干変わる、あるいは変更する場合もあるためである。
【００５０】
内クロッチ布Ｃ’にあっても同様に、内前立てＡ’の下端線（端部）２３’−２４’−２５’と内股マチ布Ｂ’の上端線（端部）２９’−３４’−３３’とが縫合されるため、その縫合部Ｄ１’（図５で見えず）付近は凸形状（錐体形状）、具体的には略円錐体形状に形成される。内クロッチ布Ｃ’の円錐体形状の底面の直径や高さは、外クロッチ布Ｃのそれと略同一の値となる。
【００５１】
また、外前立てＡの下端線２３−２４−２５と外股マチ布Ｂの上端線２９−３４−３３は、その曲率が略同等であるため、図５−１に示す如く、外前立てＡと外股マチ布Ｂの縫合部Ｄ１は、平面視において横一直線に縦断するように形成される。内クロッチ布Ｃ’においても同様であるので、説明を省略する。
【００５２】
円錐体形状Ｙは、略恥骨上部に位置させられ、着用者の体形（即ち、人体の曲線丸み）、換言すれば、男性器の収容が容易な形態となる。また、股マチ幅ＭＷは約６［ｃｍ］に形成され、このＭＷ位置が着用者の股間直下部相当位置となる。尚、この股マチ幅ＭＷにおいても前記同様に素材の伸縮性の違いなどによって若干変わる、あるいは変更する場合も否めない。
【００５３】
図１０は、重ねられた外クロッチ布Ｃと内クロッチ布Ｃ’のみを人体シルエットに対比して示す右側面図と正面図である。
【００５４】
図１０から分かるように、外クロッチ布Ｃと内クロッチ布Ｃ’の符号２４，３４，（２４’），（３４’）は円錐体形状Ｙの最大の高さ位置であると共に、円錐体形状Ｙの中心であるため、男性器部分は円錐体形状Ｙの内部に形成された凹弧状の窪地におのずと収容される。これにより、陰茎ｐも中心に安定して収容される、別言すれば、男性器は縫合部Ｄ１，Ｄ１’（縫合部Ｄ１’は図１０で見えず）付近に確実に位置させられるため、後に述べる尿吸収体を収容して着用する場合、尿吸収体と陰茎ｐの尿道口ｐ１は適宜な位置関係、具体的には、陰茎ｐの尿道口ｐ１から排出された尿を尿吸収体によって確実に吸収することができる位置関係を確保することができる。尚、図１０において外クロッチ布Ｃと内クロッチ布Ｃ’を人体シルエットに対比させて説明したが、あくまでも理解の便宜のためであって、外クロッチ布Ｃと内クロッチ布Ｃ’のみで着用できるものではない。
【００５５】
次いで、上記のように構成されたクロッチポケットＣＰと左右前身頃ＦＬ，ＦＲとの縫合について説明する。
【００５６】
図１１は図９に示すクロッチポケットＣＰを右前身頃ＦＲに重ねた状態を表す、図８と同様な斜視図であり、図１２は図１１に示すクロッチポケットＣＰと右前身頃ＦＲを左前身頃ＦＬに重ねた状態を表す、図８と同様な斜視図である。
【００５７】
図１１に示すように、クロッチポケットＣＰは、その上端線２１−２８−２７が右前身頃ＦＲの上端線７’−８’−１’に重なるように位置させられた後、クロッチポケットＣＰの線２１−２２’（２２）は右前身頃ＦＲの線７’−６’に縫合（かがり縫い）される。
【００５８】
次いで、図１２に示す如く、縫着されたクロッチポケットＣＰと右前身頃ＦＲは、その上端線２１（７’）−２８（８’）−２７（１’）が左前身頃ＦＬの上端線７−８−１に重なるように位置させられた後、右前身頃ＦＲの線４’−５’−６’は左前身頃ＦＬの線４−５−６に縫合されて前股ぐりが形成される。
【００５９】
図１３は、図１２に示す状態を裏返して表側から見た斜視図であり、図１４は、図１３のXIV−XIV 線断面図である。
【００６０】
左右前身頃ＦＬ，ＦＲは、図１３および１４、特に図１３に示すように、上開き止めＳＵおよび下開き止めＳＢが施されて開口部が形成されることにより、パンツＰの前開きＭとして完成される。尚、この実施の形態にあっては、下開き止めＳＢは所定の長さ（約２［ｃｍ］）で縫い止められる。このようにして左右前身頃ＦＬ，ＦＲから前開きＭが形成される。
【００６１】
図１５は、縫着された左右前身頃ＦＬ，ＦＲとクロッチポケットＣＰに左右身頃Ｌ，Ｒが縫着された状態を表側から見た斜視図であり、図１６は、図１５に示す状態を裏返し、クロッチポケットＣＰ付近を裏側から見た部分斜視図である。
【００６２】
図１５，１６に示す如く、左右前身頃ＦＬ，ＦＲとクロッチポケットＣＰの両端縁が左右身頃Ｌ，Ｒに縫着される。具体的に説明すると、左右前身頃ＦＬ，ＦＲとクロッチポケットＣＰの線１’，（２７）−２’は右身頃Ｒの線分９−１０に、左右前身頃ＦＬ，ＦＲとクロッチポケットＣＰの線１，（７），（７’），（２１）−２は左身頃Ｌの線分１７−１６に縫着され、前身頃の左右の側端縁が形成される。
【００６３】
図１７は、パンツＰを真上から見た上面図である。
【００６４】
図１７に示すように、左右前身頃ＦＬ，ＦＲとクロッチポケットＣＰの下端縁（後端縁）は、左右身頃Ｌ，Ｒに縫着されて後股ぐりが形成される。具体的には、左右前身頃ＦＬ，ＦＲとクロッチポケットＣＰの線３−３０’，（３０）−３１’，（３１），（４），（４’）−３２’，（３２）−３’は左右身頃Ｌ，Ｒの線分１４−１３−１２に縫着され、後股ぐりが形成される。換言すれば、図１７に示すように、外クロッチ布Ｃと内クロッチ布Ｃ’は、着用者の股間部相当位置の後方で縫合されて第２の縫合部Ｄ２が形成される。尚、図１７に示すパンツＰは、後に履き口ＷにウエストゴムＷＧが縫着されると共に、裾始末が施されて左右の裾口ＨＬ，ＨＲが形成されることにより、図１などに示すパンツＰが完成する。
【００６５】
次いで、クロッチポケットＣＰに収容されるべき尿吸収体について説明する。図１８は尿吸収体を示す斜視図である。
【００６６】
図１８において、符号Ｎは尿吸収体（尿吸収パッド）を示す。尿吸収体Ｎは、尿を吸収するパッド本体Ｎ１と、パッド本体Ｎ１に取り付けられるパッド当て布Ｎ２から構成される。
【００６７】
図１９は、図１８に示すパッド本体Ｎ１の裁断形状を表す平面図である。
【００６８】
パッド本体Ｎ１は、尿を吸収可能な素材から製作される。具体的には、パッド本体Ｎ１は３層構造からなり、その構成は人体に接触する内側層は吸水性、透水性および速乾性を備えた素材（例えば、ポリエステル材など）、中間層は吸水性を備えた保水綿（例えば、アクリレート系繊維など）、外側層は通気性と防水性を有する皮膜（例えば、ポリウレタン材など）である。
【００６９】
パッド本体Ｎ１は、上記した内側層と中間層をキルティングした（縫い合わせた）後、外側層を全面に接着（ラミネート）してなる。このパッド本体Ｎ１は比較的薄く、厚さが約２［ｍｍ］に設定される。そのため、パッド本体Ｎ１がクロッチポケットＣＰに収容されたときの嵩張り感を減少させることができる。尚、この実施例に係る尿吸収体Ｎの尿吸収量は約１５［ｃｃ］程度に設定されるが、着用者の症状に合わせて尿吸収体の厚さなどを適宜に変更し、尿吸収量を変更しても良い。
【００７０】
パッド本体Ｎ１は、図１９に示す如く、後に漏斗状部Ｎ１ａを形成する曲線辺たる線４１−４２−４３−４４−３５−３６−３７−３８−３９、および前記漏斗状部Ｎ１ａに連続して形成され、後に位置決め部Ｎ１ｂとなる曲線辺たる線３９−４０−４１からなる。漏斗状部Ｎ１ａにおいて符号Ｔで示す点は、後に漏斗状部Ｎ１ａの頂点部（タックトップ）を表す。
【００７１】
パッド本体Ｎ１の形状について詳説すると、パッド本体Ｎ１は略瓢箪形状を呈する。具体的には、パッド本体Ｎ１は、タックトップＴを中心とすると共に、線分Ｔ−３５を半径とした円弧状（略半円）部（線Ｔ−４２−４３−４４−３５−３６−３７−３８−Ｔで区画される部位）ＮＡと、タックトップＴから所定距離離間して位置される点Ｅを中心とすると共に、線分Ｔ−３５に比して短い線Ｅ−４０を半径とした円弧状（略半円）部（線Ｅ−３９−４０−４１−Ｅで区画される部位）ＮＢを備え、各円弧状部ＮＡ，ＮＢは、線４２−Ｔ−３８−３９−Ｅ−４１−４２で区画される部位（接続部）ＮＣを介して接続される。
【００７２】
パッド本体Ｎ１の漏斗状部Ｎ１ａの形成について、図２０から図２２を参照して説明する。図２０はパッド本体Ｎ１を示す上面図、図２１はパッド本体Ｎ１を示す斜視図であり、図２２は図２１に示すパッド本体Ｎ１を前面から見たときの正面図である。
【００７３】
パッド本体Ｎ１は、線分３６−Ｔと４４−Ｔが谷折りされる一方、線分３７−Ｔと４３−Ｔが山折りされる、即ち、パッド本体Ｎ１にタックが施される。これにより、パッド本体Ｎ１は、図２０に示す状態となる。次いで、パッド本体Ｎ１は、図２１，２２に示すように、線（端縁）４４−４３−３５−３７−３６が縫合される。このようにして、パッド本体Ｎ１には、符号Ｔを頂点とした漏斗形状を呈する漏斗状部Ｎ１ａが形成される。尚、図２１において、３６−Ｔと４４−Ｔを結ぶ破線は、外側に形成されるタックの折り線を示すものであって、実際に線があるわけではない。
【００７４】
図２３は、図１８に示すパッド当て布Ｎ２の裁断形状を表す平面図である。
【００７５】
パッド当て布Ｎ２は、伸縮可能な素材（例えば、ポリウレタン糸を含み、ストレッチ性（伸縮性）を有するニット）から製作される。パッド当て布Ｎ２は、平面視略楕円形状を呈し、曲線辺たる線４５−４６−４７−４８からなる。図示の如く、パッド当て布Ｎ２の線４８−４５−４６と線４６−４７−４８の曲率は、パッド本体Ｎ１の位置決め部Ｎ１ｂの線３９−４０−４１のそれと略同一となるように設定される。また、パッド当て布Ｎ２の線分４６−４８の長さは、パッド本体Ｎ１の位置決め部Ｎ１ｂの線分３９−４１のそれと略同一となるように設定されると共に、着用者の複数本の指（具体的には、人差し指、中指、薬指の３本の指）を合わせた幅よりも長くなるように（例えば、約７［ｃｍ］に）設定される。
【００７６】
図２４は、パッド当て布Ｎ２をパッド本体Ｎ１に縫合した状態を示す斜視図である。
【００７７】
図２４に示すように、パッド当て布Ｎ２は線分４６−４８で折り曲げられて２つ折りにされた後、パッド本体Ｎ１に縫合される（取り付けられる）。具体的には、２つ折りされたパッド当て布Ｎ２の位置４５，４７は、パッド本体Ｎ１の位置決め部Ｎ１ｂの位置４０に重ねられると共に、パッド当て布Ｎ２の位置４６はパッド本体Ｎ１の位置決め部Ｎ１ｂの位置３９に、位置４８はパッド本体Ｎ１の位置４１に重ねられて縫合される。
【００７８】
このとき、パッド当て布Ｎ２の線分４６−４８は、パッド本体Ｎ１の位置決め部Ｎ１ｂに縫合されない。これにより、位置決め部Ｎ１ｂとパッド当て布Ｎ２の間の内部空間は、線分４６−４８部分（以下、「挿入口Ｎ２ａ」という）を介して外部空間と連通され、よって着用者の指はその内部空間に挿入自在とされる。尚、図２４に示す尿吸収体Ｎは、端縁全面にかがり縫いが施されて、図１８などに示す尿吸収体Ｎが完成する。
【００７９】
次いで、上記のようにして完成した尿吸収体ＮのパンツＰへの収容（装着）について説明する。
【００８０】
図２５は尿吸収体ＮのパンツＰへの装着を説明する説明図であり、図２６は尿吸収体Ｎが装着されたパンツＰの中央部を左右に分断して示す断面図である。
【００８１】
先ず、尿吸収体Ｎには、図２５に示す如く、着用者の人差し指、中指、薬指の３本が位置決め部Ｎ１ｂとパッド当て布Ｎ２の間の内部空間に挿入口Ｎ２ａを介して挿入される。尚、パッド当て布Ｎ２は、前述した如く、伸縮可能な素材から製作されるように構成したので、例えば指が比較的太い着用者が人差し指、中指、薬指の３本を前記内部空間に挿入する場合であっても、パッド当て布Ｎ２が伸縮するため、容易に挿入することができる。
【００８２】
次いで、尿吸収体Ｎは、位置決め部Ｎ１ｂを先頭にした状態でクロッチポケットＣＰの入口ＣＰ１から挿入され、図２６に示すように、クロッチポケットＣＰの内部空間に収容される。詳しくは、尿吸収体Ｎは、漏斗状部Ｎ１ａを着用者の股間部相当位置の前方付近に位置させた状態で、クロッチポケットＣＰの内部空間に収容される。
【００８３】
このとき、尿吸収体Ｎの漏斗状部Ｎ１ａ（漏斗状部Ｎ１ａの頂点部Ｔ）は、クロッチポケットＣＰの縫合部Ｄ１，Ｄ１’（換言すれば、外前立てＡの下端線（端部）２３−２４−２５と外股マチ布Ｂの上端線（端部）２９−３４−３３、および内前立てＡ’の下端線（端部）２３’−２４’−２５’と内股マチ布Ｂ’の上端線（端部）２９’−３４’−３３’とが縫合されてなる縫合部Ｄ１，Ｄ１’）の付近に位置させられる。また、クロッチポケットＣＰにおいて、尿吸収体Ｎの端部、具体的には、尿吸収体Ｎの位置決め部Ｎ１ｂ（位置４５，（４７），（４０））は、前記した第２の縫合部Ｄ２付近に位置させられる。
【００８４】
このように、第１実施例に係るパンツＰにあっては、着用者の股間部相当位置の前方から後方に向けて配置される外クロッチ布Ｃと内クロッチ布Ｃ’をそれぞれその端部（下端線２３−２４−２５と上端線２９−３４−３３、および下端線２３’−２４’−２５’と上端線２９’−３４’−３３’）が円弧状を呈する外前立てＡ、内前立てＡ’と外股マチ布Ｂ、内股マチ布Ｂ’から構成し、前立ての端部と股マチ布の端部を縫合して縫合部Ｄ１，Ｄ１’を形成するように構成したので、前記縫合部Ｄ１，Ｄ１’付近を凸形状（錐体形状）に形成することが可能となり、その凸形状の内側に形成されたスペースに着用者の尿道口（具体的には、男性器の尿道口ｐ１）を位置させることで、尿道口ｐ１は縫合部Ｄ１，Ｄ１’付近に確実に位置させられる。また、尿吸収体Ｎに漏斗状部Ｎ１ａを形成し、その漏斗状部Ｎ１ａを前記縫合部Ｄ１，Ｄ１’付近に位置させるように構成したので、縫合部Ｄ１，Ｄ１’付近に位置させられた尿道口ｐ１は漏斗状部Ｎ１ａ近傍にも位置させられることとなる。即ち、着用者の尿道口ｐ１は常に漏斗状部Ｎ１ａ近傍に位置させられる、換言すれば、尿吸収体Ｎと着用者の尿道口ｐ１は常に適宜な位置関係となるため、尿吸収体Ｎ（漏斗状部Ｎ１ａ）は排泄された尿を確実に受け止めて吸収することができる。
【００８５】
また、尿吸収体Ｎに漏斗状部Ｎ１ａを形成するように構成したので、漏斗状部Ｎ１ａの頂点部Ｔ近傍に着用者の尿道口ｐ１を位置させることも可能となる。それにより、排泄された尿は漏斗状部Ｎ１ａの頂点部分Ｔを中心として放射状に拡散しながら均一に吸収される、即ち、尿吸収体Ｎの漏斗状部Ｎ１ａにおいて全体的に吸収されることとなるため、尿吸収体Ｎは尿を効率よく吸収することができる。
【００８６】
また、外前立てＡと外股マチ布Ｂ、内前立てＡ’と内股マチ布Ｂ’の縫合部Ｄ１，Ｄ１’付近を凸形状に形成することが可能であるため、着用者の尿道口ｐ１を凸形状の内側に形成されるスペースに容易に位置させることができ、さらに着用感も向上させることができる。
【００８７】
また、通常のパンツに外クロッチ布Ｃと内クロッチ布Ｃ’を取り付け、その間に尿吸収体Ｎを収容するように構成したので、尿吸収体を取り付けない（収容しない）ときは通常のパンツとして使用でき、見た目のシルエットに優れる。
【００８８】
また、尿吸収体Ｎに漏斗状部Ｎ１ａに連続する位置決め部Ｎ１ｂを形成すると共に、外クロッチ布Ｃと内クロッチ布Ｃ’を股間部相当位置の後方で縫合して第２の縫合部Ｄ２を形成し、尿吸収体Ｎの位置決め部Ｎ１ｂを第２の縫合部Ｄ２の付近に位置させるように構成、即ち、股間部相当位置の後方付近に形成された第２の縫合部Ｄ２付近が、尿吸収体Ｎが収容されるべき位置の基点となるように構成したので、パンツＰを着用したまま尿吸収体Ｎを取り替える際、新しい尿吸収体Ｎを適切な位置に素早く収容、具体的には、股間部の尿漏れ範囲に素早く位置決めして収容することができる。また、第２の縫合部Ｄ２は縫製作業の必要工程において形成され、縫い目が存在するだけであるため、着用感が低下することがない。
【００８９】
また、尿吸収体Ｎの位置決め部Ｎ１ｂにパッド当て布Ｎ２を縫合し、その内部空間に着用者の指を挿入自在とするように構成したので、着用者は、位置決め部Ｎ１ｂとパッド当て布Ｎ２によって形成された内部空間に指を挿入しつつ尿吸収体Ｎを収容でき、よって尿吸収体Ｎの装着を容易にすることができる。
【実施例２】
【００９０】
次いで、この発明の第２実施例に係るパンツについて説明する。
【００９１】
図２７はこの発明の第２実施例に係るパンツＰの内クロッチ布Ｃの端部付近を拡大して示す拡大平面図と断面図であり、図２８は尿吸収体Ｎのパッド当て布Ｎ２を拡大して示す拡大平面図と断面図である。尚、以下の説明において、第１実施例と共通の構成については、同一の符号を付して説明を省略する。
【００９２】
第１実施例との相違点に焦点をおいて説明すると、第２実施例にあっては、尿吸収体Ｎの位置決め部Ｎ１ｂ、正確には、位置決め部Ｎ１ｂに縫合されたパッド当て布Ｎ２を、第２の縫合部Ｄ２の付近に止め具を介して取り付け自在とするように構成した。具体的に説明すると、図２７に示すように、内クロッチ布Ｃ’の端部、正確には、内クロッチ布Ｃ’の内股マチ布Ｂ’の下端線３０’−３１’−３２’付近であって、クロッチポケットＣＰの内部空間に面する側には、凹状のスナップ（止め具）Ｓ１を備えるテープ（スナップテープ）ＳＴ１が縫着される。即ち、スナップＳ１は、パンツＰ完成時において第２の縫合部Ｄ２の付近に配置される。
【００９３】
他方、図２８に示す如く、２つ折りされたパッド当て布Ｎ２の位置４５，（４７）付近にも、前記スナップＳ１に対応する（係止自在な）凸状のスナップＳ２を備えたテープＳＴ２が縫着される。即ち、スナップＳ２は、図２５に想像線で示すように、パッド当て布Ｎ２の中央部、換言すれば、着用者の中指の先端相当位置となるように縫着される。
【００９４】
従って、尿吸収体ＮをパンツＰに装着する際、図２６に想像線で示す如く、尿吸収体Ｎに取り付けられたスナップＳ２は、着用者の中指によって第２の縫合部Ｄ２の付近に配置されたスナップＳ１に係止させられる。
【００９５】
このように、第２実施例に係るパンツＰにあっては、尿吸収体Ｎの位置決め部Ｎ１ｂを、第２の縫合部Ｄ２の付近に止め具（スナップＳ１，Ｓ２）を介して取り付け自在とするように構成したので、尿吸収体Ｎが外クロッチ布Ｃと内クロッチ布Ｃ’に対して位置ズレするのを効果的に防止でき、尿吸収体Ｎは排泄された尿をより一層確実に吸収することができる。
【００９６】
尚、残余の効果は第１実施例と同様であるので、説明を省略する。
【００９７】
以上の如く、この発明の第１および第２実施例にあっては、着用者の股間部相当位置の前方から後方に向けて配置される外クロッチ布Ｃと内クロッチ布Ｃ’の間に尿吸収体Ｎを収容自在としたパンツＰであって、前記尿吸収体Ｎに漏斗状部Ｎ１ａを形成すると共に、前記外クロッチ布Ｃと内クロッチ布Ｃ’をそれぞれその端部（下端線２３−２４−２５と上端線２９−３４−３３、および下端線２３’−２４’−２５’と上端線２９’−３４’−３３’）が円弧状を呈する前立て（外前立てＡ、内前立てＡ’）と股マチ布（外股マチ布Ｂ、内股マチ布Ｂ’）から構成し、前記前立ての端部と股マチ布の端部を縫合してなる縫合部Ｄ１，Ｄ１’の付近に前記尿吸収体Ｎの漏斗状部Ｎ１ａを位置させるように構成した。
【００９８】
また、前記尿吸収体Ｎに前記漏斗状部Ｎ１ａに連続する位置決め部Ｎ１ｂを形成すると共に、前記外クロッチ布Ｃと内クロッチ布Ｃ’を前記股間部相当位置の後方で縫合して第２の縫合部Ｄ２を形成し、前記尿吸収体Ｎの位置決め部Ｎ１ｂを前記第２の縫合部Ｄ２の付近に位置させるように構成した。
【００９９】
また、前記尿吸収体Ｎの位置決め部Ｎ１ｂに当て布（パッド当て布Ｎ２）を縫合し、その内部空間に前記着用者の指を挿入自在とするように構成した。
【０１００】
また、この発明の第２実施例にあっては、前記尿吸収体Ｎの位置決め部Ｎ１ｂ（正確には、位置決め部Ｎ１ｂに縫合されたパッド当て布Ｎ２）を、前記第２の縫合部Ｄ２の付近に止め具（スナップＳ１，Ｓ２）を介して取り付け自在とするように構成した。
【０１０１】
尚、上記において、この発明をトランクス型のパンツとして説明したが、この発明はそれに限られるものではなく、例えばブリーフ型、ボクサータイプ型など様々な形状からなるパンツにも適用が可能である。
【０１０２】
また、この発明を男性用のパンツとして説明したが、この発明は女性用のパンツにも適用することが可能である。例えば、尿吸収体Ｎを女性の尿道口に即した位置となるように配置、具体的には、漏斗状部Ｎ１ａが着用者の股間部相当位置の後方付近に、位置決め部Ｎ１ｂが股間部相当位置の前方付近となるように、尿吸収体ＮをクロッチポケットＣＰに収容すると共に、漏斗状部Ｎ１ａの形状を適宜に変更することで、この発明は女性用のパンツに適用することが可能となる。
【０１０３】
また、左右身頃Ｌ，Ｒ、左右前身頃ＦＬ，ＦＲ、外クロッチ布Ｃおよび内クロッチ布Ｃ’の素材を具体的に示したが、それらは例示であって限定されるものではない。また、尿吸収体Ｎを３層構造からなるように構成したが、それに限られるものではなく、要は尿を吸収可能な素材であればよく、例えば尿吸収に優れる布・紙などであっても良い。尚、左右身頃Ｌ，Ｒ、左右前身頃ＦＬ，ＦＲ、外クロッチ布Ｃ、内クロッチ布Ｃ’および尿吸収体Ｎの内の少なくともいずれかを消臭性を有する素材から製作すれば、尿が尿吸収体に吸収されたときに発生する匂いを抑制することも可能となる。
【０１０４】
また、前立て（外前立てＡ、内前立てＡ’）の端部と股マチ布（外股マチ布Ｂ、内股マチ布Ｂ’）の端部とを縫合してその縫合部Ｄ１，Ｄ１’付近を錐体形状、具体的には円錐体形状Ｙに形成するように構成したが、それに代えて角錐体形状などでも良く、要は着用者の体形に即した形状であれば、どのような形状でも良い。
【０１０５】
また、着用者の人差し指、中指、薬指の３本を使って尿吸収体ＮをパンツＰに装着するように説明したが、それはあくまでも例示であって、着用者にとってやり易い方法で装着しても良いことは言うまでもない。
【０１０６】
また、上記において、クロッチポケットＣＰに尿吸収体Ｎを収容自在とするように構成したが、尿吸収体Ｎを新しい尿吸収体に頻繁に取り替える必要がない場合（例えば、パンツＰの着用者において、漏れ出る尿が微量であって比較的症状が軽い場合）は、クロッチポケットＣＰに尿吸収体Ｎを収容した状態で、尿吸収体Ｎ（正確には、尿吸収体Ｎのパッド本体Ｎ１）を外クロッチ布Ｃと内クロッチ布Ｃ’の少なくともいずれかに縫い止めて固定するように構成しても良い。
【０１０７】
また、腰ゴムＷＧは横一文字に形成されるように構成したが、前身頃部位において、腰ゴムがゆるやかなＵ字型の弓形状あるいは、ゆるやかなＶ字型のブーメラン形状などに形成されるようにしても良い。
【図面の簡単な説明】
【０１０８】
【図１】この発明の第１実施例に係るパンツの正面図である。
【図２】図１に示すパンツの背面図である。
【図３】図１に示す左前身頃および右前身頃の裁断形状（生地片）を表側から見た平面図である。
【図４】図１に示す左身頃および右身頃の裁断形状（生地片）を表側から見た平面図である。
【図５】クロッチポケットを拡大して示す拡大平面図と拡大左側面図である。
【図６】図５に示す外クロッチ布と内クロッチ布の裁断形状（生地片）を表側から見た平面図である。
【図７】図６に示す外クロッチ布と内クロッチ布が重ねられる前の状態を右前方から見た斜視図である。
【図８】図６に示す外クロッチ布と内クロッチ布が重ねられた状態を左後方から見た斜視図である。
【図９】図８に示す外クロッチ布と内クロッチ布を縫合した状態を表す、図８と同様な斜視図である。
【図１０】図９に示す外クロッチ布と内クロッチ布のみを人体シルエットに対比して示す右側面図と正面図である。
【図１１】図９に示すクロッチポケットを右前身頃に重ねた状態を表す、図８と同様な斜視図である。
【図１２】図１１に示すクロッチポケットと右前身頃を左前身頃に重ねた状態を表す、図８と同様な斜視図である。
【図１３】図１２に示す状態を裏返して表側から見た斜視図である。
【図１４】図１３のXIV−XIV 線断面図である。
【図１５】図１３に示す左右前身頃とクロッチポケットに左右身頃が縫着された状態を表側から見た斜視図である。
【図１６】図１５に示す状態を裏返し、クロッチポケット付近を裏側から見た部分斜視図である。
【図１７】完成前のパンツの上面図である。
【図１８】尿吸収体を示す斜視図である。
【図１９】図１８に示すパッド本体の裁断形状を表す平面図である。
【図２０】図１８に示すパッド本体の上面図である。
【図２１】図１８に示すパッド本体を表す、図１８と同様な斜視図である。
【図２２】図２１に示すパッド本体を前面から見たときの正面図である。
【図２３】図１８に示すパッド当て布の裁断形状を表す、図１９と同様な平面図である。
【図２４】図２３に示すパッド当て布をパッド本体に縫合した状態を表す、図１８と同様な斜視図である。
【図２５】尿吸収体のパンツへの装着を説明する説明図である。
【図２６】図２５に示す尿吸収体が装着されたパンツの中央部を左右に分断して示す断面図である。
【図２７】この発明の第２実施例に係るパンツの内クロッチ布の端部付近を拡大して示す拡大平面図と断面図である。
【図２８】尿吸収体のパッド当て布を拡大して示す拡大平面図と断面図である。
【符号の説明】
【０１０９】
Ａ  外前立て（前立て）、Ａ’  内前立て（前立て）、Ｂ  外股マチ布（股マチ布）、Ｂ’  内股マチ布（股マチ布）、Ｃ  外クロッチ布、Ｃ’  内クロッチ布、Ｄ１，Ｄ１’  縫合部、Ｄ２  第２の縫合部、Ｎ  尿吸収体、Ｎ１ａ  漏斗状部、Ｎ１ｂ  位置決め部、Ｎ２  パッド当て布（当て布）、Ｐ  パンツ、Ｓ１，Ｓ２  スナップ（止め具）、２３−２４−２５  （外前立ての）端部、２９−３４−３３  （外股マチ布の）端部、２３’−２４’−２５’  （内前立ての）端部、２９’−３４’−３３’  （内股マチ布の）端部
【図１】
2008223150.tif 000003
【図２】
2008223150.tif 000004
【図３】
2008223150.tif 000005
【図４】
2008223150.tif 000006
【図５】
2008223150.tif 000007
【図６】
2008223150.tif 000008
【図７】
2008223150.tif 000009
【図８】
2008223150.tif 000010
【図９】
2008223150.tif 000011
【図１０】
2008223150.tif 000012
【図１１】
2008223150.tif 000013
【図１２】
2008223150.tif 000014
【図１３】
2008223150.tif 000015
【図１４】
2008223150.tif 000016
【図１５】
2008223150.tif 000017
【図１６】
2008223150.tif 000018
【図１７】
2008223150.tif 000019
【図１８】
2008223150.tif 000020
【図１９】
2008223150.tif 000021
【図２０】
2008223150.tif 000022
【図２１】
2008223150.tif 000023
【図２２】
2008223150.tif 000024
【図２３】
2008223150.tif 000025
【図２４】
2008223150.tif 000026
【図２５】
2008223150.tif 000027
【図２６】
2008223150.tif 000028
【図２７】
2008223150.tif 000029
【図２８】
2008223150.tif 000030